(57)【要約】【課題】建物の躯体に設置された状態で背面方向へ伝播する音を抑制することができるパネルスピーカを提供する。【解決手段】パネルスピーカ１は、振動板２と、加振器３と、補助スピーカ４と、制御部とを備える。振動板２は、平板状に形成されている。加振器３は、振動板２を振動させて音を発生させる。振動板２の振動によって発生する音が取り出される方向を正面方向Ａ１とする。補助スピーカ４は、正面方向Ａ１とは反対の背面方向Ａ２に設けられ、背面方向Ａ２に音を発生させる。制御部は、振動板２の振動によって背面方向Ａ２に発生した音を打ち消す音を補助スピーカ４から背面方向Ａ２に発生させるように補助スピーカ４を制御する。【選択図】図１
2012198407.tif 000002
【特許請求の範囲】
【請求項１】
平板状の振動板と、
前記振動板を振動させて音を発生させる加振器と、
前記振動板の振動によって発生する音が取り出される方向を正面方向とし、当該正面方向とは反対の背面方向に設けられ当該背面方向に音を発生させる補助スピーカと、
前記振動板の振動によって前記背面方向に発生した音を打ち消す音を前記補助スピーカから当該背面方向に発生させるように前記補助スピーカを制御する制御部と
を備えることを特徴とするパネルスピーカ。
【請求項２】
開口部が形成され当該開口部を覆うように前記振動板が設けられ前記加振器が収納される第１のケースと、
前記補助スピーカが収納される第２のケースとを備え、
前記第２のケースは、前記第１のケースに対して前記振動板とは反対側に設けられている
ことを特徴とする請求項１記載のパネルスピーカ。
【請求項３】
前記第１のケースと前記第２のケースとの間に設けられた枠体を備えることを特徴とする請求項２記載のパネルスピーカ。
【請求項４】
前記枠体と前記第１のケースと前記第２のケースとで囲まれた空間には吸音材が充填されることを特徴とする請求項３記載のパネルスピーカ。
【請求項５】
前記枠体は、前記第１のケースおよび前記第２のケースの各々と接着されることを特徴とする請求項３または４記載のパネルスピーカ。
【請求項６】
前記枠体と前記第１のケースとの間および前記枠体と前記第２のケースとの間の少なくとも一方に設けられた弾性材を備えることを特徴とする請求項３または４記載のパネルスピーカ。
【請求項７】
前記第１のケースと前記第２のケースとは接合されることを特徴とする請求項２記載のパネルスピーカ。
【請求項８】
前記第２のケースの背面側から前記正面方向を見たときの前記第２のケースの内部空間の断面形状は、一辺１５０ｍｍ以上３８０ｍｍ以下の方形または直径１５０ｍｍ以上３８０ｍｍ以下の円であることを特徴とする請求項２〜７のいずれか１項に記載のパネルスピーカ。
【請求項９】
前記第２のケースは、当該第２のケースの内部空間を複数の小空間に仕切る仕切部材を有し、前記複数の小空間の各々には、前記補助スピーカが１対１で収納されていることを特徴とする請求項２〜７のいずれか１項に記載のパネルスピーカ。
【請求項１０】
前記第２のケースの背面側から前記正面方向を見たときの前記複数の小空間の各々の断面形状は、一辺１５０ｍｍ以上３８０ｍｍ以下の方形または直径１５０ｍｍ以上３８０ｍｍ以下の円であることを特徴とする請求項９記載のパネルスピーカ。
【発明の詳細な説明】
【技術分野】
【０００１】
本発明は、平板状の振動板を振動させて音を発生させるパネルスピーカに関する。
【背景技術】
【０００２】
従来から、平板状の振動板を振動させて音を発生させるパネルスピーカが知られている（例えば特許文献１参照）。上記パネルスピーカは、天井または壁などに設置されて用いられる。
【先行技術文献】
【特許文献】
【０００３】
【特許文献１】特開２００９−２９０３６３号公報
【発明の概要】
【発明が解決しようとする課題】
【０００４】
しかしながら、従来のパネルスピーカは、天井または壁に設置された状態で音を発生させた場合に、パネルスピーカの背面方向に音が出力されるため、上階の部屋または隣室に音が伝播しやすくなり、上階の部屋または隣室に騒音が発生する。
【０００５】
特に、従来のパネルスピーカが天井または壁に埋め込み設置された場合、パネルスピーカから背面方向に出力された音が上階の部屋の床または隣室の壁に直接伝播されるため、上階の部屋または隣室に騒音が発生しやすくなる。
【０００６】
本発明は上記の点に鑑みて為され、本発明の目的は、建物の躯体に設置された状態で背面方向へ伝播する音を抑制することができるパネルスピーカを提供することにある。
【課題を解決するための手段】
【０００７】
本発明のパネルスピーカは、平板状の振動板と、前記振動板を振動させて音を発生させる加振器と、前記振動板の振動によって発生する音が取り出される方向を正面方向とし、当該正面方向とは反対の背面方向に設けられ当該背面方向に音を発生させる補助スピーカと、前記振動板の振動によって前記背面方向に発生した音を打ち消す音を前記補助スピーカから当該背面方向に発生させるように前記補助スピーカを制御する制御部とを備えることを特徴とする。
【０００８】
このパネルスピーカにおいて、開口部が形成され当該開口部を覆うように前記振動板が設けられ前記加振器が収納される第１のケースと、前記補助スピーカが収納される第２のケースとを備え、前記第２のケースは、前記第１のケースに対して前記振動板とは反対側に設けられていることが好ましい。
【０００９】
このパネルスピーカにおいて、前記第１のケースと前記第２のケースとの間に設けられた枠体を備えることが好ましい。
【００１０】
このパネルスピーカにおいて、前記枠体と前記第１のケースと前記第２のケースとで囲まれた空間には吸音材が充填されることが好ましい。
【００１１】
このパネルスピーカにおいて、前記枠体は、前記第１のケースおよび前記第２のケースの各々と接着されることが好ましい。
【００１２】
このパネルスピーカにおいて、前記枠体と前記第１のケースとの間および前記枠体と前記第２のケースとの間の少なくとも一方に設けられた弾性材を備えることが好ましい。
【００１３】
このパネルスピーカにおいて、前記第１のケースと前記第２のケースとは接合されることが好ましい。
【００１４】
このパネルスピーカにおいて、前記第２のケースの内部空間の断面形状は、一辺１５０ｍｍ以上３８０ｍｍ以下の方形または直径１５０ｍｍ以上３８０ｍｍ以下の円であることが好ましい。
【００１５】
このパネルスピーカにおいて、前記第２のケースは、当該第２のケースの内部空間を複数の小空間に仕切る仕切部材を有し、前記複数の小空間の各々には、前記補助スピーカが１対１で収納されていることが好ましい。
【００１６】
このパネルスピーカにおいて、前記第２のケースの背面側から前記正面方向を見たときの前記複数の小空間の各々の断面形状は、一辺１５０ｍｍ以上３８０ｍｍ以下の方形または直径１５０ｍｍ以上３８０ｍｍ以下の円であることが好ましい。
【発明の効果】
【００１７】
本発明によれば、建物の躯体に設置された状態で、音が取り出される正面方向とは反対側の背面方向において、振動板の振動によって発生した音を打ち消す音を補助スピーカに発生させることによって、背面方向へ伝播する音を抑制することができる。これにより、本発明では、天井に設置された場合に上階の部屋への騒音を低減させることができ、壁に設置された場合に隣室への騒音を低減させることができる。
【図面の簡単な説明】
【００１８】
【図１】実施形態１に係るパネルスピーカであって、（ａ）は背面図、（ｂ）は（ａ）のＡ−Ａ断面図である。
【図２】同上に係るパネルスピーカの電気的な構成を示すブロック図である。
【図３】同上に係るパネルスピーカの設置図である。
【図４】実施形態２に係るパネルスピーカの断面図である。
【図５】実施形態３に係るパネルスピーカの断面図である。
【図６】実施形態４に係るパネルスピーカにおけるスピーカ本体部の配置図である。
【図７】同上に係るパネルスピーカにおける遮音部の配置図である。
【図８】同上に係るパネルスピーカの図７のＢ−Ｂ断面図である。
【図９】同上に係るパネルスピーカの電気的な構成を示すブロック図である。
【発明を実施するための形態】
【００１９】
以下の実施形態１〜４では、平板状の振動板を振動させて音を発生させるパネルスピーカについて説明する。
【００２０】
（実施形態１）
実施形態１に係るパネルスピーカ１は、図１に示すように、振動板２と、加振器（エキサイタ）３と、補助スピーカ４と、第１のケース５と、第２のケース６とを備えている。また、パネルスピーカ１は、図２に示すように、制御部７を備えている。振動板２と加振器３と第１のケース５とでスピーカ本体部を構成し、補助スピーカ４と第２のケース６とで遮音部を構成する。振動板２の振動によって発生する音が取り出される方向を正面方向Ａ１し、正面方向Ａ１とは反対の方向を背面方向Ａ２とする。
【００２１】
振動板２は、例えば木材、金属または樹脂などで方形の平板状に形成された平面パネルである。振動板２の形状は、例えば正方形、長方形またはひし形などである。
【００２２】
加振器３は、振動板２の背面２１の中央領域上に設置され、後述の第１の電気信号Ｓ１（図２参照）に応じて、振動板２を振動させて音を発生させる。
【００２３】
補助スピーカ４は、例えば薄型スピーカ（圧電スピーカなど）、コーン型スピーカまたは加振器などの騒音制御用スピーカであり、加振器３に対して背面方向Ａ２に設けられている。補助スピーカ４は、後述の第２の電気信号Ｓ２（図２参照）を音に変換し、変換した音を背面方向Ａ２に出力する。
【００２４】
第１のケース５は、例えば木材、金属または樹脂などで形成され、方形の平板状に形成された底面部５１と、底面部５１の周囲に沿って設けられた矩形枠状の側面部５２とを備えている。底面部５１の形状は、例えば正方形、長方形またはひし形などである。底面部５１と側面部５２は、個別に形成された後に接合されてもよいし、樹脂の場合、一体成形によって形成されてもよい。第１のケース５には、内部空間５３が形成され、内部空間５３の開口を覆うように振動板２が設けられている。内部空間５３には、加振器３が収納されている。
【００２５】
第２のケース６は、例えば木材、金属または樹脂などで形成され、方形の平板状に形成された前面部６１と、前面部６１と同じ形状に形成された後面部６２と、前面部６１および後面部６２の周囲に沿って設けられた側面部６３とを備えている。前面部６１および後面部６２の各形状は、例えば正方形、長方形またはひし形などである。前面部６１と側面部６３または後面部６２と側面部６３は、個別に形成された後に接合されてもよいし、樹脂の場合、一体成形によって形成されてもよい。第２のケース６には、内部空間６４が形成され、内部空間６４には、内部空間６４を前側空間６５と後側空間６６とに区切る内部隔壁６７が設けられている。補助スピーカ４は、内部隔壁６７に取り付けられて内部空間６４に収納されている。第２のケース６は、第１のケース５に対して振動板２とは反対側（図１（ｂ）の上側）に設けられている。
【００２６】
第１のケース５と第２のケース６とは、例えば接着剤などによって第１のケース５の底面部５１と第２のケース６の前面部６１とが接着されることによって、直接接合されている。
【００２７】
図２に示す制御部７は、例えばマイクロプロセッサ（ＭＰＵ：Micro Processing Unit）を主構成要素とし、加振器３を制御する機能と補助スピーカ４を制御する機能とを有している。なお、制御部７の設置場所は、パネルスピーカ１のいずれの場所でもよい。
【００２８】
制御部７は、加振器３を制御する機能として、振動板２の振動によって所望の音を発生させるための第１の電気信号Ｓ１を加振器３に出力する。
【００２９】
制御部７は、補助スピーカ４を制御する機能として、補助スピーカ４が所望の音を出力するための第２の電気信号Ｓ２を補助スピーカ４に出力する。具体的には、制御部７は、振動板２の振動によって背面方向Ａ２に発生した音を打ち消す音を補助スピーカ４から背面方向Ａ２に発生させるように補助スピーカ４を制御する。制御部７は、加振器３に出力される第１の電気信号Ｓ１を用いて、振動板２の振動によって生成された音を打ち消す音を補助スピーカ４が内部空間６４の後側空間６６へ出力するように第２の電気信号Ｓ２を生成する。例えば、制御部７は、振動板２の振動による音と逆位相の音を発生させるための第２の電気信号Ｓ２を生成する。
【００３０】
上記より、パネルスピーカ１は、図１に示すように、振動板２の振動で発生して背面方向Ａ２へ漏れていた音を、内部空間６４の後側空間６６を通過する時点で、補助スピーカ４から出力された音で打ち消すことができる。つまり、パネルスピーカ１は、スピーカ本体部（振動板２、加振器３、第１のケース５）の背面側（図１（ｂ）の上側）に、アクティブ遮音機能を有する遮音部（補助スピーカ４、第２のケース６）を備えていることになる。
【００３１】
ところで、パネルスピーカ１（第２のケース６）の背面側（図１（ｂ）の上側）から正面方向Ａ１を見たときの第２のケース６の内部空間６４の断面形状（背面方向Ａ２と直交する面の形状）は限定されないが、以下の理由により本実施形態では一辺１５０ｍｍ以上３８０ｍｍ以下の方形としている。
【００３２】
天井または壁などの躯体を透過して隣の空間に伝播して騒音となる音の周波数は３００Ｈｚ以下である。逆に、３００Ｈｚより高い周波数の音は躯体を透過しにくい。また、音を制御する空間の大きさは、制御する音の１／３波長以下であることが望ましい。したがって、内部空間６４の断面形状の大きさは、３００Ｈｚ以下の音の１／３波長に相当する３８０ｍｍ以下であることが望ましい。
【００３３】
一方、内部空間６４の断面形状の下限については、制御する音に起因するのではなく、補助スピーカ４の大きさに起因する。補助スピーカ４は、小さすぎると低音を発生させることができず、７０Ｈｚ程度の低音を発生させる場合、補助スピーカ４の口径を１０ｃｍにする必要がある。したがって、内部空間６４の大きさは、一辺１５０ｍｍ以上にする必要がある。なお、５０〜６０Ｈｚの音は、普通の大きさであれば人間の聴覚の特性上、暗騒音にまぎれて人間にはほとんど聞こえない。
【００３４】
次に、本実施形態に係るパネルスピーカ１の使用例および消音動作について図１，３を用いて説明する。一例として、図３に示すようにパネルスピーカ１が部屋９１の天井９２に設置される場合について説明する。パネルスピーカ１は、天井９２の取付開口部に嵌めこまれた状態で、ビスなどで天井９２に固定されている。
【００３５】
まず、制御部７が第１の電気信号Ｓ１を加振器３に出力して加振器３が動作すると、振動板２が振動して音が発生する。振動板２の振動による音は、部屋９１の空間に伝播するとともに、第１のケース５から第２のケース６の内部空間６４に伝播する。
【００３６】
その後、制御部７は、振動板２の振動による音を補助スピーカ４から出力された音で打ち消すように、第２の電気信号Ｓ２を生成して補助スピーカ４に出力する。補助スピーカ４は、第２の電気信号Ｓ２を音に変換し、変換した音を内部空間６４の後側空間６６に出力する。
【００３７】
これにより、後側空間６６において、補助スピーカ４から出力された音と振動板２の振動による音とが打ち消し合うので、振動板２の振動による音が上階の部屋９３の床９４に伝播して上階の部屋９３に漏れることを抑制できる。つまり、パネルスピーカ１から背面側に発生する音が遮断されて、空気伝播による音漏れを防止でき、上階の部屋９３に音が漏れないようにすることができる。
【００３８】
以上、本実施形態のパネルスピーカ１によれば、音が取り出される方向である正面方向Ａ１とは反対側の背面方向Ａ２において、振動板２の振動によって発生した音を打ち消す音を補助スピーカ４に発生させることによって、背面方向Ａ２へ伝播する音を抑制することができる。これにより、本実施形態のパネルスピーカ１では、パネルスピーカ１が天井９２に設置された場合に上階の部屋９３への騒音を低減させることができる。
【００３９】
また、本実施形態のパネルスピーカ１は、振動板２が設けられて加振器３が収納される第１のケース５に対して、補助スピーカ４が収納される第２のケース６が振動板２とは反対側（図１（ｂ）の上側）に設けられている。これにより、本実施形態のパネルスピーカ１では、正面方向Ａ１以外の方向に音が漏れることを抑制することができる。
【００４０】
さらに、本実施形態のパネルスピーカ１によれば、第１のケース５と第２のケース６とが接合されることによって、第１のケース５と第２のケース６との間から漏れる音を低減させることができる。
【００４１】
また、本実施形態のパネルスピーカ１は、パネルスピーカ１の背面側から正面方向Ａ１に見たときの第２のケース６の内部空間６４の断面形状が一辺１５０ｍｍ以上３８０ｍｍ以下の方形である。これにより、本実施形態のパネルスピーカ１は、建物の躯体を透過しやすい周波数帯域の音を低減させることができ、背面方向Ａ２の遮音性能を高めることができる。
【００４２】
なお、パネルスピーカ１の背面側から正面方向Ａ１を見たときの第２のケース６の内部空間６４の断面形状は、直径１５０ｍｍ以上３８０ｍｍ以下の円であってもよい。上記のような場合であっても、建物の躯体を透過しやすい周波数帯域の音を低減させることができ、背面方向Ａ２の遮音性能を高めることができる。
【００４３】
（実施形態２）
実施形態２に係るパネルスピーカ１は、図４に示すような枠体８を備えている点で、実施形態１に係るパネルスピーカ１（図１参照）と相違する。なお、実施形態１のパネルスピーカ１と同様の構成要素については、同一の符号を付して説明を省略する。
【００４４】
枠体８は、例えば木材、金属または樹脂などで枠状に形成された部材であり、第１のケース５と第２のケース６との間に設けられている。枠体８は、第１のケース５の底面部５１および第２のケース６の前面部６１の各々と接着剤によって直接接着されている。
【００４５】
本実施形態のパネルスピーカ１では、枠体８と第１のケース５の底面部５１と第２のケース６の前面部６１とで封止された空間８１が形成される。第１のケース５側から伝播した音が空間８１内を空気伝播するので、音エネルギーを低減させることができる。これにより、第１のケース５側から第２のケース６側への音の伝播を抑制することができる。
【００４６】
本実施形態では、空間８１には吸音材８２が充填されている。吸音材８２は、例えばグラスウールまたはフェルトなどであり、空間８１に圧縮されて充填されている。これにより、吸音材８２は、空間８１が空洞である場合よりも音の伝播をさらに抑制することができる。つまり、第１のケース５側から第２のケース６側への音の伝播をさらに抑制し、パネルスピーカ１の遮音性能を向上させることができる。
【００４７】
以上、本実施形態のパネルスピーカ１によれば、振動板２の振動によって発生した音が空間８１（枠体８の内部）を通過する際に、上記音のエネルギーが減衰して上記音が小さくなるので、背面方向Ａ２に伝播する音を小さくすることができる。
【００４８】
特に、本実施形態のパネルスピーカ１では、空間８１に吸音材８２が充填されているので、振動板２の振動によって発生した音が空間８１を通過する際に、上記音のエネルギーを吸音材８２で減衰することができる。
【００４９】
また、本実施形態のパネルスピーカ１によれば、枠体８が第１のケース５および第２のケース６の各々と接着されることによって、枠体８と第１のケース５との間および枠体８と第２のケース６との間から漏れる音を低減させることができる。
【００５０】
（実施形態３）
実施形態３に係るパネルスピーカ１は、図５に示すように空気漏れ防止手段として第１の弾性材８３および第２の弾性材８４を備えている点で、実施形態２に係るパネルスピーカ１（図４参照）と相違する。なお、実施形態２のパネルスピーカ１と同様の構成要素については、同一の符号を付して説明を省略する。
【００５１】
第１の弾性材８３は、例えば独立発泡スポンジなどで矩形状に形成された部材であり、枠体８と第１のケース５の底面部５１との間に設けられている。
【００５２】
第２の弾性材８４は、例えば独立発泡スポンジなどで矩形状に形成された部材であり、枠体８と第２のケース６の前面部６１との間に設けられている。
【００５３】
本実施形態のパネルスピーカ１では、枠体８と第１のケース５および枠体８と第２のケース６はいずれも接着剤によって直接接合されるのではなく、枠体８と第１のケース５は第１の弾性材８３を介して接合され、枠体８と第２のケース６は第２の弾性材８４を介して接合されている。
【００５４】
以上、本実施形態のパネルスピーカ１によれば、枠体８と第１のケース５との間に第１の弾性材８３が設けられることによって、第１の弾性材８３が設けられた隙間から外部に漏れる音を低減させることができる。また、枠体８と第２のケース６との間に第２の弾性材８４が設けられることによって、第２の弾性材８４が設けられた隙間から外部に漏れる音を低減させることができる。
【００５５】
なお、パネルスピーカ１は、第１の弾性材８３または第２の弾性材８４のいずれか一方のみを備える構成であってもよい。
【００５６】
（実施形態４）
実施形態４に係るパネルスピーカ１は、図８に示すように第１のケース５が第１の仕切部材５４を備え、第２のケース６が第２の仕切部材６８を備えている点で、実施形態３に係るパネルスピーカ１（図５参照）と相違する。なお、実施形態３のパネルスピーカ１と同様の構成要素については、同一の符号を付して説明を省略する。
【００５７】
第１の仕切部材５４は、例えば木材、金属または樹脂などで形成された部材であり、図６に示すように、内部空間５３を複数（図示例では２つ）の小空間５３１，５３２に仕切るために内部空間５３に設けられている。内部空間５３は、正面方向Ａ１の音響特性が向上するように複数の小空間５３１，５３２に仕切られている。なお、第１の仕切部材５４は、底面部５１または側面部５２と一体に備えてもよいし、別体に備えてもよい。
【００５８】
小空間５３ｉ（ｉ＝１，２）には、加振器３ｉが１対１で収納されている。つまり、小空間５３１には加振器３１が収納され、小空間５３２には加振器３２が収納されている。
【００５９】
本実施形態の加振器３ｉ（ｉ＝１，２）は、図９に示すように、制御部７から出力された第１の電気信号Ｓ１ｉを音に変換し、変換した音を出力する。なお、実施形態３の加振器３（図５参照）と同様の機能については説明を省略する。
【００６０】
第２の仕切部材６８は、図７に示すように、例えば木材、金属または樹脂などで格子状に形成された部材であり、内部空間６４を複数（図示例では１０）の小空間６４１，６４２，……，６４１０に仕切るために内部空間６４に設けられている。小空間６４ｊ（ｊ＝１，２，……，１０）は、内部隔壁６７によって、前側空間６５ｊと後側空間６６ｊとに仕切られている（図８参照）。なお、第２の仕切部材６８は、前面部６１、後面部６２または側面部６３と一体に備えてもよいし、別体に備えてもよい。
【００６１】
小空間６４ｊ（ｊ＝１，２，……，１０）には、補助スピーカ４ｊが１対１で収納されている。例えば、小空間６４１には補助スピーカ４１が収納され、小空間６４２には補助スピーカ４２が収納され、小空間６４３には補助スピーカ４３が収納されている。
【００６２】
本実施形態の補助スピーカ４ｊ（ｊ＝１，２，……，１０）は、図９に示すように、制御部７から出力された第２の電気信号Ｓ２ｊを音に変換し、変換した音を小空間６４ｊの後側空間６６ｊ（図８参照）に出力する。なお、実施形態３の補助スピーカ４（図５参照）と同様の機能については説明を省略する。
【００６３】
本実施形態の制御部７は、加振器３ｉ（ｉ＝１，２）を制御する機能と補助スピーカ４ｊ（ｊ＝１，２，……，１０）を制御する機能とを有している。
【００６４】
制御部７は、加振器３ｉ（ｉ＝１，２）を制御する機能として、振動板２の振動によって所望の音を発生させるための第１の電気信号Ｓ１ｉを加振器３に出力する。
【００６５】
制御部７は、補助スピーカ４ｊを制御する機能として、補助スピーカ４ｊが所望の音を出力するための第２の電気信号Ｓ２ｊを補助スピーカ４ｊ（ｊ＝１，２，……，１０）に出力する。具体的には、制御部７は、振動板２の振動によって背面方向Ａ２に発生した音を打ち消す音を補助スピーカ４ｊから背面方向Ａ２に発生させるように補助スピーカ４ｊを制御する。制御部７は、加振器３ｉに出力される第１の電気信号Ｓ１ｉを用いて、振動板２の振動によって生成された音を打ち消す音を補助スピーカ４ｊが内部空間６４の後側空間６６へ出力するように第２の電気信号Ｓ２ｊを生成する。例えば、制御部７は、振動板２の振動による音と逆位相の音を発生させるための第２の電気信号Ｓ２ｊを生成する。
【００６６】
上記より、本実施形態のパネルスピーカ１は、図８に示すように、振動板２の振動で発生して背面方向Ａ２へ漏れていた音を、小空間６４ｊ（ｊ＝１，２，……，１０）の後側空間６６ｊを通過する時点で、補助スピーカ４ｊから出力された音で打ち消すことができる。
【００６７】
ところで、本実施形態のパネルスピーカ１（第２のケース６）の背面側（図８の上側）から正面方向Ａ１を見たときの小空間６４ｊ（ｊ＝１，２，……，１０）の断面形状（背面方向Ａ２と直交する面の形状）は限定されないが、本実施形態では一辺１５０ｍｍ以上３８０ｍｍ以下の正方形としている。
【００６８】
なお、任意の小空間６４ｋ（ｋ＝１，２，……，１０）に収納されている補助スピーカ４ｋから出力された音は、第２の仕切部材６８によって隣の小空間６４ｊ（ｊ＝１，２，……，１０、ただしｊ＝ｋを除く）に伝達されないようになっている。
【００６９】
以上、本実施形態のパネルスピーカ１によれば、第２のケース６が大きい場合であっても、第２のケース６の内部空間６４を第２の仕切部材６８で仕切ることによって、建物の躯体を透過しやすい周波数帯域の音を低減させることができ、背面方向Ａ２の遮音性能を高めることができる。
【００７０】
本実施形態のパネルスピーカ１では、第１のケース５が第１の仕切部材５４を備えていることによって、第１のケース５が第１の仕切部材５４を備えていない場合よりも第１のケース５の剛性を高めることができる。また、本実施形態のパネルスピーカ１では、第２のケース６が第２の仕切部材６８を備えていることによって、第２のケース６が第２の仕切部材６８を備えていない場合よりも第２のケース６の剛性を高めることができる。その結果、パネルスピーカ１全体の剛性を高めることができ、不要な振動を抑制することができる。
【００７１】
なお、本実施形態のパネルスピーカ１において、パネルスピーカ１の背面側（図８の上側）から正面方向Ａ１を見たときの小空間６４ｊ（ｊ＝１，２，……，１０）の断面形状は、直径１５０ｍｍ以上３８０ｍｍ以下の円であってもよい。
【００７２】
また、本実施形態のパネルスピーカ１において、パネルスピーカ１の背面側（図８の上側）から正面方向Ａ１を見たときの小空間６４ｊ（ｊ＝１，２，……，１０）の断面形状は正方形に限定されず、例えばひし形または長方形など正方形以外の方形であってもよい。小空間６４ｉの断面形状が長方形である場合、長辺および短辺のいずれもが１５０ｍｍ以上３８０ｍｍ以下である。
【００７３】
第１のケース５の内部空間５３が複数の小空間５３１，５３２に区切られている構成および第２のケース６の内部空間６４が複数の小空間６４１，６４２，……，６４１０に区切られている構成は、実施形態１，２のパネルスピーカ１に適用してもよい。
【００７４】
また、各実施形態のパネルスピーカ１は、天井９２以外の躯体（例えば壁など）に設置されてもよい。このような場合であっても、パネルスピーカ１が隣室への騒音を低減させることができる。
【符号の説明】
【００７５】
１  パネルスピーカ
２  振動板
３，３ｉ  加振器
４，４ｊ  補助スピーカ
５  第１のケース
５３  内部空間
５３ｉ  小空間
５４  第１の仕切部材
６  第２のケース
６４  内部空間
６４ｊ  小空間
６８  第２の仕切部材
７  制御部
８  枠体
８１  空間
８２  吸音材
８３  第１の弾性材
８４  第２の弾性材
Ａ１  正面方向
Ａ２  背面方向
【図１】
2012198407.tif 000003
【図２】
2012198407.tif 000004
【図３】
2012198407.tif 000005
【図４】
2012198407.tif 000006
【図５】
2012198407.tif 000007
【図６】
2012198407.tif 000008
【図７】
2012198407.tif 000009
【図８】
2012198407.tif 000010
【図９】
2012198407.tif 000011